(57)【要約】【課題】単純な構成により開放的な居住空間を造ることのできる住宅を提供する。【解決手段】住宅が備える建物（１）は、四角形状の平面を有する床部（１１）と、床部（１１）の平面と平行に配置される、四角形状の平面を有する天井部（１３）と、床部（１１）および天井部（１３）を、各平面の４辺それぞれにおいて連結し、各辺の両端を余して配置される、四角形状の平面を有する４つの壁体（２１，…，２４）とを含む。典型的には、隣接する壁体（２１，…，２４）間に形成される４つの隅部（３１，…，３４）には、光を取り込むための開口部（５０）が設けられる。また、４つの隅部（３１，…，３４）のうちの少なくとも１つは、外観上入隅部として形成される。【選択図】図３
2014190028.tif 000002
【特許請求の範囲】
【請求項１】
建物を備えた住宅であって、
前記建物は、
四角形状の平面を有する床部と、
前記床部の平面と平行に配置される、四角形状の平面を有する天井部と、
前記床部および前記天井部を、各平面の４辺それぞれにおいて連結し、各辺の両端を余して配置される、四角形状の平面を有する４つの壁体とを含む、住宅。
【請求項２】
隣接する前記壁体間に形成される４つの隅部には、光を取り込むための開口部が設けられる、請求項１に記載の住宅。
【請求項３】
前記４つの隅部のうちの少なくとも１つは、外観上入隅部として形成されている、請求項２に記載の住宅。
【請求項４】
前記４つの隅部全てが前記入隅部として形成されており、
前記壁体と前記入隅部とにより三方が囲まれる、４つの張出し空間と、前記４つの張出し空間に囲まれる中央空間とが、それぞれ、住宅機能ごとの機能空間となっている、請求項３に記載の住宅。
【請求項５】
各前記機能空間は、ユニット化されている、請求項４に記載の住宅。
【請求項６】
前記４つの隅部のうちの少なくとも２つが前記入隅部として形成されており、
前記入隅部に対応する位置には、それぞれ、方位に合わせて異なった種類の樹木が配置される、請求項３に記載の住宅。
【請求項７】
前記床部は、前記入隅部の箇所に切欠き部を有する、請求項３〜６のいずれかに記載の住宅。
【請求項８】
前記切欠き部に対応する位置に、庭部をさらに備える、請求項７に記載の住宅。
【請求項９】
前記床部および前記天井部それぞれの前記平面は、略正方形状である、請求項１〜８のいずれかに記載の住宅。
【請求項１０】
前記床部および前記天井部それぞれの前記平面の各辺の長さは、８モジュールである、請求項９に記載の住宅。
【請求項１１】
前記壁体の前記平面の幅は、４モジュールである、請求項１０に記載の住宅。
【請求項１２】
前記４つの壁体は、前記床部および前記天井部の各辺において、中央部分に配置される、請求項１〜１１のいずれかに記載の住宅。
【請求項１３】
請求項３に記載の住宅を複数含む住宅群であって、
隣接する２区画それぞれに、前記住宅が配置され、
前記２区画の敷地空間にまたがって、共有庭部が形成される、住宅群。
【発明の詳細な説明】
【技術分野】
【０００１】
本発明は、住宅および住宅群に関し、特に、戸建の住宅および当該住宅を複数含む住宅群に関する。
【背景技術】
【０００２】
従来の住宅は、オーナーのニーズや敷地条件に対応して個別に設計されていた。個別設計によれば、プラン構成や部材構成が複雑になりがちである。
【０００３】
そこで、間取り設計を単純化した住宅も提案されている。たとえば特許文献１には、同じ大きさの矩形形状の第１および第２のゾーンをずらして配置し、この２つのゾーンに挟まれる位置に第３のゾーンを配置した住宅において、玄関と勝手口とを入れ替え可能にすることが開示されている。
【０００４】
また、住宅群における日当たりやプライバシーの保護を考慮し、特許文献２には、隣地境界線に対して角度を付けて建物を配置することで、隣接した４区画の敷地相互間にまたがる庭空間の集合により住環境生成領域が形成されることが開示されている。
【先行技術文献】
【特許文献】
【０００５】
【特許文献１】特開平７−１３９１９４号公報
【特許文献２】特開２００９−１５５８３７号公報
【発明の概要】
【発明が解決しようとする課題】
【０００６】
上記特許文献１によれば、居住空間が矩形形状の２つのゾーンに完全に分離されるため、開放的な居住空間を造り出すことができない。
【０００７】
また、上記特許文献２のように、隣地境界線に対し角度を付けて建物を配置するには、建坪に対し敷地面積が十分に広いことが必要とされる。
【０００８】
本発明は、上記のような課題を解決するためになされたものであって、その目的は、単純な構成により開放的な居住空間を造ることのできる住宅を提供することである。
【０００９】
また、制約された建築条件であっても快適な居住性を得ることのできる住宅群を提供することも他の目的とする。
【課題を解決するための手段】
【００１０】
この発明のある局面に従う住宅は、建物を備えた住宅であって、建物は、四角形状の平面を有する床部と、床部の平面と平行に配置される、四角形状の平面を有する天井部と、床部および天井部を、各平面の４辺それぞれにおいて連結し、各辺の両端を余して配置される、四角形状の平面を有する４つの壁体とを含む。
【００１１】
好ましくは、隣接する壁体間に形成される４つの隅部には、光を取り込むための開口部が設けられる。
【００１２】
好ましくは、４つの隅部のうちの少なくとも１つは、外観上入隅部として形成されている。
【００１３】
好ましくは、４つの隅部全てが入隅部として形成されており、壁体と入隅部とにより三方が囲まれる、４つの張出し空間と、４つの張出し空間に囲まれる中央空間とが、それぞれ、住宅機能ごとの機能空間となっている。上記各機能空間は、ユニット化されていることが望ましい。
【００１４】
好ましくは、４つの隅部のうちの少なくとも２つが入隅部として形成されており、入隅部に対応する位置には、それぞれ、方位に合わせて異なった種類の樹木が配置される。
【００１５】
好ましくは、床部は、入隅部の箇所に切欠き部を有する。この場合、切欠き部に対応する位置に、庭部をさらに備えてもよい。
【００１６】
好ましくは、床部および天井部それぞれの平面は、略正方形状である。この場合、床部および天井部それぞれの平面の各辺の長さは、８モジュールであることが望ましい。また、壁体の平面の幅は、４モジュールであることが望ましい。
【００１７】
好ましくは、４つの壁体は、床部および天井部の各辺において、中央部分に配置される。
【００１８】
この発明の他の局面に従う住宅群は、上記記載の住宅を複数含む住宅群であって、隣接する２区画それぞれに、住宅が配置され、２区画の敷地空間にまたがって、共有庭部が形成される。
【発明の効果】
【００１９】
本発明の住宅によれば、単純な構成により開放的な居住空間を造ることができる。
【００２０】
また、本発明の住宅群によれば、制約された建築条件であっても快適な居住性を得ることができる。
【図面の簡単な説明】
【００２１】
【図１】本発明の実施の形態に係る住宅に含まれる建物の構造躯体を模式的に示す斜視図である。
【図２】図１のＩＩ‐ＩＩ線に沿って切断した場合の建物を模式的に示す模式断面図である。
【図３】本発明の実施の形態における建物の具体的な構造例を示す外観斜視図である。
【図４】本発明の実施の形態における建物の第１の間取りプラン例を示す模式断面図であり、（Ａ）には建物の１階、（Ｂ）には建物の２階が示されている。
【図５】本発明の実施の形態における建物の第２の間取りプラン例を示す模式断面図であり、建物の１階が示されている。
【図６】本発明の実施の形態において、機能ユニットの構成例を示す概念図である。
【図７】本発明の実施の形態に係る住宅の構成例を模式的に示す模式断面図である。（Ａ）には建物の１階、（Ｂ）には建物の２階が示されている。
【図８】本発明の実施の形態に係る住宅群を模式的に示す図である。
【発明を実施するための形態】
【００２２】
本発明の実施の形態について図面を参照しながら詳細に説明する。なお、図中同一または相当部分には同一符号を付してその説明は繰返さない。
【００２３】
（建物の概略構造）
はじめに、本実施の形態に係る住宅に含まれる建物の概略構造について説明する。なお、本実施の形態において、「住宅」とは、敷地全体を表わす。したがって、住宅には、建物だけでなく庭なども含まれる。「建物」とは、土地に定着している構造物を表わす。
【００２４】
図１は、本発明の実施の形態に係る住宅に含まれる建物１の構造躯体を模式的に示す斜視図である。図１には、一例として２階建ての建物１が示されている。図２は、図１のＩＩ‐ＩＩ線に沿って切断した場合の建物１を模式的に示す模式断面図である。
【００２５】
図１および図２を参照して、建物１は、その構造躯体として、第１および第２の床部１１，１２と、天井部１３と、第１〜第４の壁体２１，２２，２３，２４とを含む。床部１１，１２は、たとえば床スラブに相当する。なお、１階建ての建物の場合には、第２の床部１２は不要である。
【００２６】
床部１１，１２および天井部１３は、それぞれ所定の厚みを有し、かつ、四角形状の平面１１ａ，１２ａ，１３ａを有している。第１の床部１１は、少なくとも上面側が平面であり、天井部１３は、少なくとも下面側が平面である。中間に位置する第２の床部１２は、上面および下面ともに平面である。床部１１，１２および天井部１３それぞれの平面１１ａ，１２ａ，１３ａは、互いにほぼ同一スケールである。なお、本実施の形態において「平面」とは、面一の面に限定されず、全体として平面状である部分を表わす。
【００２７】
第１〜第４の壁体２１，２２，２３，２４は、床部１１，１２および天井部１３を、それぞれの平面１１ａ，１２ａ，１３ａが互いに平行となるように連結する。壁体２１，２２，２３，２４は、各々所定の厚みを有し、かつ、それぞれが四角形状の平面２１ａ，２２ａ，２３ａ，２４ａを有している。各壁体２１，２２，２３，２４は、外面および内面ともに平面である。壁体２１，２２，２３，２４の平面２１ａ，２２ａ，２３ａ，２４ａは、互いにほぼ同一スケールである。
【００２８】
壁体２１，２２，２３，２４は、床部１１，１２および天井部１３を、これらの平面１１ａ，１２ａ，１３ａの４辺それぞれにおいて連結している。また、壁体２１，２２，２３，２４は、床部１１，１２および天井部１３の平面１１ａ，１２ａ，１３ａの各辺の両端を余すように配置される。具体的には、たとえば第１の壁体２１は、第１の床部１１の一辺１１１、第２の床部１２の一辺１２１および、天井部１３の一辺１３１それぞれの中央部分に配置されている。壁体２１は、第１の床部１１の上面１１ａと天井部１３の下面１３ａとに挟まれるように配置される場合、第１の床部１１の辺１１１および天井部１３の辺１３１には、実際には接していなくてもよい。なお、図１においては、第２の床部１２の４辺が４つの壁体２１，２２，２３，２４の内面と接する形態を示しているが、各壁体２１，２２，２３，２４は、第２の床部１２を挟んで上下に分割された形態であってもよい。
【００２９】
本実施の形態において、２つの床部１１，１２および天井部１３それぞれの平面１１ａ，１２ａ，１３ａは、略正方形状であることが望ましい。そうすることで、方位性にとらわれず、建物１を、様々な形状の敷地に収めることができる。
【００３０】
この場合、第１の床部１１の各辺１１１，１１２，１１３，１１４の長さＬ１は、たとえば８モジュールに対応する長さである。１モジュールは、建物の平面プラン上の一単位であり、たとえば、９１０ｍｍ、あるいは、１０００ｍｍとして設定される。つまり、本実施の形態では、床部１１，１２および天井部１３の平面１１ａ，１２ａ，１３ａは、１辺を略８Ｐとする正方形状とされている。この場合、各壁体２１，２２，２３，２４の幅Ｌ２は、たとえば４モジュールに対応する長さである。よって、第１の床部１１の各辺のうち、壁体との連結部分を除外した両端部それぞれの長さＬ３は、２モジュールに対応する長さである。長さＬ３は、たとえば、第１の床部１１の辺１１１（図１）のうち、第１の壁体２１と接しない両端部１１１ａ，１１１ｂそれぞれの長さを表わす。
【００３１】
上述のような構造によると、４つの壁体２１，２２，２３，２４が建物１の四方それぞれの中央部分に集中的に配置されるため、建物１の屋内を壁体レスとすることができる。
【００３２】
このような建物１において、隣接する壁体２１，２２，２３，２４間には、各階において４つの隅部が形成される。具体的には、図１に示されるように、１階には、隅部３１〜３４が形成され、２階には、隅部４１〜４４が形成される。各隅部には、光を取り込むための開口部が設けられる。開口部には、少なくとも、窓、および、玄関や勝手口のための扉が含まれる。
【００３３】
各隅部３１〜３４，４１〜４４は、外観上入隅部として形成されることが望ましい。図２を参照して、たとえば１階の第１の壁体２１と第２の壁体２２とで挟まれるコーナー部分の入隅部３２は、それぞれの一方端部１１１ｂ，１１２ａを２辺とする正方形の他の２辺３２ａ，３２ｂに対応する位置に形成される。なお、各入隅部の位置は、このような位置に限定されない。たとえば入隅部３２の場合、それぞれの一方端部１１１ｂ，１１２ａを２辺とする三角形の他の１辺（図示せず）に対応する位置であってもよい。
【００３４】
図３は、本発明の実施の形態における建物１の具体的な構造例を示す外観斜視図である。図２および図３を参照して、１階の入隅部３１，３２，３３，３４、および、２階の入隅部４１，４２，４３，４４には、それぞれ開口部５０が設けられている。このように、建物１の４コーナー全てを開口部５０とすることで、開放的な屋内空間を造り出すことができるとともに、屋内空間のあらゆる場所に太陽の光が射し込まれる。各入隅部３１〜３４，４１〜４４において、隣接する開口部５０間には、柱２が配置される。
【００３５】
なお、図３では、各入隅部全体に開口部５０として窓が設けられた例が示されているが、開口部５０は、入隅部の一部分のみに設けられてもよい。また、上述のように、本実施の形態では、建物１において各階とも４つの隅部全てを入隅部とし、そこに開口部５０を設けた。しかし、各階において、４つの隅部のうちの少なくとも１つについては外観上出隅部とし、そこに開口部５０を設けてもよい。外観上入隅部は、たとえば１階の第１の壁体２１と第２の壁体２２とで挟まれるコーナー部分においては、端部分１１１ｂ，１１２ａに対応する位置が出隅部となる。
【００３６】
図３に示したような建物１によれば、正面の構成は、単純な面分割による明快なデザインとされる。また、建物１は、アプローチの方位や地域性にとらわれない、汎用的かつ普遍的なデザインである。したがって、本実施の形態における建物１は、工業化住宅に適している。以下に、図３に示したような建物１の形状を有効に活用した間取りプラン例について説明する。
【００３７】
（第１の間取りプラン例）
図４は、本発明の実施の形態における建物１の第１の間取りプラン例を示す模式断面図であり、図４（Ａ）には、建物１の１階１Ａ、図４（Ｂ）には、建物１の２階１Ｂが示されている。
【００３８】
図４（Ａ），（Ｂ）を参照して、各階１Ａ，１Ｂのコア部分（コア空間）６０，７０に階段が配置され、コア部分６０，７０を中心に周囲の空間６１〜６４，７１〜７４が繋がって配置されている。コア部分６０，７０は、後述の中央空間（図５の空間１６０）よりも小さい領域である。第１の間取りプラン例では、各階１Ａ，１Ｂのコア部分６０，７０の周囲に位置する連続空間６１〜６４，７１〜７４を適宜仕切りたい場合には、カーテン６５など、開け閉め可能な簡易仕切りが配置されてもよい。
【００３９】
このような場合、１階１Ａにおいて、コア部分６０を中心として、たとえば、第１の壁体２１側の空間６１には玄関、第２の壁体２２側の空間６２にはリビング、第３の壁体２３側の空間６３にはキッチン、第４の壁体２４側の空間６４にはダイニングが配置される。２階１Ｂにおいては、コア部分７０を中心として、たとえば、第１の壁体２１側の空間７１には収納、第２の壁体２２側の空間７２には寝室、第３の壁体２３側の空間７３にはサニタリー、第４の壁体３４側の空間７４には子供部屋が配置される。
【００４０】
このように、各階のコア部分６０，７０に階段を配置した場合、建物１の形状の対称性、すなわち空間の対称性により、コア部分６０，７０を中心として人の居場所が循環的に移り変わるという特性を有する。なお、建物１が１階建ての場合は、コア部分には、人の居場所とはならない住宅機能空間として、たとえば収納空間（クローゼット）を配置してもよい。
【００４１】
また、上述のように、本実施の形態では、各階１Ａ，１Ｂにおいて、４つの入隅部３１〜３４，４１〜４４の全てに開口部５０が設けられている。そのため、図４（Ａ）の２つの破線矢印および図４（Ｂ）の２つの破線矢印で示されるように、平面視において、建物１の長辺および対角線の両方向において、外部への視界を遮るもの（外壁および間仕切り壁）がない。したがって、屋内のどこにいても外部空間に挟まれるため、住人は外部空間も含めた広がりを感じることができる。つまり、屋内に外部空間を呼び込むことができ、屋内を居心地の良い空間とすることができる。
【００４２】
（第２の間取りプラン例）
図５は、本発明の実施の形態における建物１の第２の間取りプラン例を示す模式断面図であり、建物１の１階１Ａが示されている。
【００４３】
図５を参照して、本例では、４つの張出し空間１６１，１６２，１６３，１６４と、それらに囲まれる中央空間１６０とが、それぞれ、住宅機能ごとの機能空間として分割されている。各張出し空間は、壁体２１，２２，２３，２４と入隅部３１，３２，３３，３４とにより三方が囲まれた空間である。具体的には、たとえば張出し空間１６１は、壁体２１と、それに隣接する２つの入隅部３１，３２とにより、三方が囲まれている。
【００４４】
この場合、たとえば中央空間１６０はダイニングの機能空間とされる。図５においては、張出し空間１６１はキッチンの機能空間とされ、張出し空間１６２は、サニタリーの機能空間とされている。張出し空間１６３は、エントランス（階段）の機能空間とされ、張出し空間１６４は、リビングの機能空間とされている。
【００４５】
機能空間は、建物１の向き（方角）に応じて定められてよい。また、１階部分においては、建物１の向きに応じていずれかの張出し空間の床部を土間にしてもよい。そのようにすることで、所望の機能空間（たとえばリビング）において蓄熱が可能となる。
【００４６】
なお、建物１の２階の屋内空間においても、中央空間および４つの張出し空間に、それぞれ、住宅機能に応じた機能空間を割り当ててもよい。たとえば、中央空間にフリールームの機能空間を配置し、各張出し空間に、階段の機能、収納の機能、および、寝室の機能などを配置してもよい。
【００４７】
上述のように、本実施の形態における建物１は単純な構造であるため、間取りのバリエーションを多様化することができる。また、敷地対応性の多様化も実現することができる。たとえば、第１の間取りプラン例および第２の間取りプラン例のいずれにおいても、敷地の方位に応じて建物１の向きを変えることで、敷地条件に見合った間取りとすることができる。
【００４８】
また、本実施の形態の建物１によれば、プラン設計および施工時の両方において効率化を図ることができる。また、部品点数も少なくすることができるため、コスト削減を図ることもできる。
【００４９】
なお、図５に示したような機能空間を、それぞれユニット化してもよい。
【００５０】
図６は、本発明の実施の形態において、機能ユニットの構成例を示す概念図である。図６には、たとえば１階部分を構成する複数の機能ユニットとして、ダイニングユニットＵ１６０、キッチンユニットＵ１６１、サニタリーユニットＵ１６２、エントランスユニットＵ１６３、および、リビングユニットＵ１６４が示されている。機能ユニットＵ１６０は、図５に示した中央空間１６０に対応しており、機能ユニットＵ１６１〜Ｕ１６４は、それぞれ、図５に示した張出し空間１６１〜１６４に対応している。このように、各機能空間をユニット化することで、工業化住宅にさらに適したものとすることができる。この場合、各機能ユニットＵ１６０〜Ｕ１６４を、工場において予め製造することもできる。
【００５１】
ここで、本実施の形態では、中央空間の機能ユニットＵ１６０のサイズは４Ｐ×４Ｐであり、張出し空間の機能ユニットＵ１６１〜Ｕ１６４のサイズは４Ｐ×２Ｐである。このようなサイズは、各機能空間に適したサイズである。したがって、建物１の敷地条件（方位など）に応じて、張出し空間用の機能ユニットＵ１６１〜Ｕ１６４の位置を入れ替えるだけで、建物１の屋内を快適な間取りとすることができる。また、各機能空間をユニット化することで、施工時間を大幅に短縮することができる。
【００５２】
（住宅の構成例）
次に、上記のような建物１を含む住宅の全体構成例について説明する。
【００５３】
図７は、本発明の実施の形態に係る住宅の構成例を模式的に示す模式断面図である。図７（Ａ）には、建物１の１階１Ａ、図７（Ｂ）には、建物１の２階１Ｂが示されている。なお、図７では、屋内空間の間取りとして、上記第１の間取りプラン例（図４）が示されているが、間取りは限定されない。
【００５４】
図７（Ａ）を参照して、本実施の形態に係る住宅において、建物１の１階１Ａの４つの入隅部３１，３２，３３，３４に対応する位置には、それぞれ、方位に合わせて異なった種類の樹木３０１，３０２，３０３，３０４が配置されている。たとえば第１の壁体２１側が南、第３の壁体２３側が北の方角であると仮定する。この場合、南東に位置する樹木３０１としては、たとえば入隅部３１の開口部５０から四季の演出を楽しむことができるような樹木（たとえば落葉樹）が配置される。南西に位置する樹木３０２としては、たとえば入隅部３２の開口部５０からの木漏れ日を楽しむことができるような樹木（たとえば観賞用樹木）が配置される。北東に位置する樹木３０４として、外部からの目隠しとなるような樹木（たとえば常緑樹）が配置される。北西に位置する樹木３０３としては、たとえば柿の木などの実のなる木を配置することもできる。このように、住宅の４隅に、方位および日照に合わせた庭を作ることで、回遊性による景色の変化を楽しむことができる。
【００５５】
また、１階１Ａにおいて、第１の床部１１のコーナー部分、すなわち入隅部３１〜３４より外側の箇所には、典型的には、テラス部８１が配置される。テラス部８１には、テラス、玄関ポーチ、および、ウッドデッキなどが含まれる。ただし、第１の床部１１のコーナー部分のうちの少なくとも１つの箇所は、切欠き部８２としてもよい。切欠き部８２に対応する位置には、庭部３００を設けることができる。庭部３００に、上記のような樹木が含まれるように構成してもよい。
【００５６】
２階１Ｂにおいては、第２の床部１２のコーナー部分、すなわち入隅部４１〜４４より外側の箇所には、典型的には、ベランダ８３が配置される。ただし、１階１Ａと同様に、これらのうちの少なくとも１つの箇所は切欠き部８２としてもよい。そうすることで、２階１Ｂの切欠き部８２の真下のテラス部８１に、高さ方向の開放感を出すことができる。このような場合、たとえば、入隅部３１の位置のテラス部８１を春テラス、入隅部３４の位置のテラス部８１を夏テラスとして使い分けることもできる。
【００５７】
以上説明したように、本実施の形態によれば、従来からある住宅をそのまま「標準化」および「工業化」するのではなく、住宅の作り方をそれらに適したものとすることによって、新たな住宅の形や暮らし方を提供することができる。具体的には、建物１の壁面（壁体２１〜２４）と開口部５０とを明確に区分し、構成をシンプルにすることで、部材の効率化を図ることができる。また、開口部５０を建物１のコーナーにまとめることによって、屋内と屋外との立体的なつながりを可能とする。また、建物１の四隅に開口部５０を設けたことによって、方位に適した多様な庭を設けることができる。また、単純化された建物構成は、住まいの機能もユニット化でき、方位にとらわれない住宅の提供を可能とする。
【００５８】
（住宅群について）
本実施の形態によれば、上述のような住宅を複数含む住宅群を提供することもできる。
【００５９】
図８は、本発明の実施の形態に係る住宅群を模式的に示す図である。
【００６０】
図８を参照して、住宅群には、たとえば、互いに隣接する複数の区画９１，９２，９３，９４が含まれる。各区画には、上述の建物１を含む住宅が配置される。建物１は、上述のように４コーナー全てが入隅部であるため、隣り合う建物１において、壁体間の距離Ｌ１１よりも入隅部間の距離Ｌ１２の方が大きい。したがって、各区画が、隣り合う建物１の壁体間の距離を大きくとれないような狭い（すなわち建ぺい率が高い）敷地であっても、隣り合う建物１の開口部５０（入隅部）間の距離は確保できる。その結果、制約された建築条件であっても、日照、採光および通風条件を良好とすることができる。
【００６１】
また、住宅群において、複数区画９１〜９４の敷地空間にまたがる共有庭部１００を形成することができる。共有庭部１００は、たとえば、各住宅において、隣り合う住宅と入隅部同士が対向し合う位置に、図７に示した樹木３０１〜３０４や庭部３００を配置することで形成される。住宅群にこのような共有庭部１００を形成することで、各住宅のプライバシーも保護することができる。その結果、快適な居住性を得ることができる。
【００６２】
なお、図８には、４つの区画９１〜９４の敷地空間にまたがる共有庭部１００を示したが、少なくとも２つの区画の敷地空間にまたがるものであればよい。また、図８には、４コーナー全てが入隅部とされた建物１を示したが、住宅群に含まれる建物は、少なくとも、隣り合う建物の隅部と対向する隅部が、入隅部として形成されていればよい。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６４】
１  建物、２  柱、１１，１２  床部、１３  天井部、２１，２２，２３，２４  壁体、３１，３２，３３，３４，４１，４２，４３，４４  隅部（入隅部）、５０  開口部、６０，７０  コア部分、６１，６２，６３，６４，７１，７２，７３，７４  連続空間、６５  カーテン、８１  テラス部、８２  切欠き部、８３  ベランダ、９１，９２，９３，９４  区画、１００  共有庭部、１６０  中央空間、１６１，１６２，１６３，１６４  張出し空間、Ｕ１６０，Ｕ１６１，Ｕ１６２，Ｕ１６３，Ｕ１６４  機能ユニット、３００  庭部、３０１，３０２，３０３，３０４  樹木。
【図１】
2014190028.tif 000003
【図２】
2014190028.tif 000004
【図３】
2014190028.tif 000005
【図４】
2014190028.tif 000006
【図５】
2014190028.tif 000007
【図６】
2014190028.tif 000008
【図７】
2014190028.tif 000009
【図８】
2014190028.tif 000010